(57)【要約】【課題】人がいる時間帯と人がいない時間帯とを記録装置に把握させて該記録装置の稼働率を向上させること。【解決手段】本発明の記録装置１は、被記録材Ｐの被記録面に記録を実行する記録実行部２５と、留守になる時間帯５１を指定できる時間指定部５３と、前記記録実行部２５の動作を制御する制御部４３とを備え、前記制御部４３では、前記時間指定部５３からの時間指定情報５５に基づいて実行される記録優先モード５７と、指定された時間帯５１以外及び時間帯５１が指定されなかった場合に実行される通常記録モード４９とを切り換えて記録を実行するように構成されている。【選択図】図２
2012213989.tif 000002
【特許請求の範囲】
【請求項１】
被記録材に記録を実行する記録実行部と、
留守になる時間帯を指定できる時間指定部と、
前記記録実行部の動作を制御する制御部と、を備え、
前記制御部は、前記時間指定部からの時間指定情報に基づいて指定された時間帯において実行される記録優先モードと、指定された時間帯以外及び時間帯が指定されなかった場合に実行される通常記録モードとを切り換えて記録を実行可能に構成されていることを特徴とする記録装置。
【請求項２】
請求項１に記載された記録装置において、
前記記録優先モードは、受信した記録ジョブデータのデータ容量とユーザーの設定情報とに基づいて前記留守になる時間帯で処理できる記録ジョブデータを選定し、選定した記録ジョブデータの記録を実行するように構成されていることを特徴とする記録装置。
【請求項３】
請求項１または２に記載された記録装置において、
前記記録優先モードは、消耗品の残量情報に基づいて前記留守になる時間帯で処理できる記録ジョブデータを選定し、選定した記録ジョブデータの記録を実行するように構成されていることを特徴とする記録装置。
【請求項４】
請求項３に記載された記録装置において、
前記消耗品はインクと被記録材のいずれか一方または双方であることを特徴とする記録装置。
【請求項５】
請求項１〜４のいずれか一項に記載された記録装置において、
前記記録優先モードが選択されたことを知らせる表示部が設けられており、
前記記録優先モード実行時には、記録を実行する記録ジョブデータに関する情報を前記表示部に表示するように構成されていることを特徴とする記録装置。
【請求項６】
請求項１〜５のいずれか一項に記載された記録装置において、
前記記録優先モードは、記録の実行を完了させることができる記録ジョブデータのみの記録が実行されるように構成されていることを特徴とする記録装置。
【請求項７】
請求項１〜６のいずれか一項に記載された記録装置において、
前記記録優先モードは、
前記留守になる時間帯で処理できる記録ジョブデータのうち受信した順番で記録を実行する受信優先モードと、
前記留守になる時間帯で処理できる記録ジョブデータのうち処理時間の速いものから順番に記録を実行する処理優先モードと、を選択可能に構成されていることを特徴とする記録装置。
【請求項８】
請求項１〜７のいずれか一項に記載された記録装置において、
前記通常記録モードは、記録ジョブデータの受信の順番に記録を実行するように構成されていることを特徴とする記録装置。
【発明の詳細な説明】
【技術分野】
【０００１】
本発明は、被記録材の被記録面に記録を実行する記録実行部と、該記録実行部の動作を制御する制御部と、を備えた記録装置に関するものである。
【背景技術】
【０００２】
従来の記録装置は、パーソナルコンピューター等のクライアントマシンから送信された記録ジョブデータをデータ容量の大小や緊急性の大小に関係なく、受信した順番で処理して記録を実行していた。  
しかし、大型のインクジェットプリンターのようにインク消費量が多く、高い稼働率が求められる記録装置の場合には、一律に受信した順番で処理するのではなく前記記録ジョブデータのデータ容量の大小や緊急性の大小をも勘案して記録ジョブデータを処理する順番を決めることが望しい場合がある。
【０００３】
そして、下記の特許文献１では、ドットカウント等によって、印刷する時間とインク消費量とを算出し、インク切れが起きると判断された文書の印刷開始時刻を変更したり、印刷を中止するようにしたプリンターシステムが開示されている。  
また、下記の特許文献２では、クライアントマシンから送信される記録ジョブデータに予約印刷時刻を含め、当該予約印刷時刻に応じて記録実行タイミングを設定するようにしたプリンターが開示されている。
【先行技術文献】
【特許文献】
【０００４】
【特許文献１】特開２０１０−２０１７０８号公報
【特許文献２】特開２００７−４８３０３号公報
【発明の概要】
【発明が解決しようとする課題】
【０００５】
しかし、人がいる時間帯であればインク切れや被記録材（以下、「用紙」ともいう）の補充に対応できるので、記録ジョブデータを受信した順番で処理した方が分かり易い。  
一方、人がいない時間帯であれば、前記インク切れや用紙の補充に直ちに対応することはできない。そのため、前記インク切れや用紙切れの虞れの少ない記録ジョブデータを優先して処理した方が無駄が少ない。
【０００６】
ところが、前記特許文献１、２においては、人がいる時間帯と人がいない時間帯とを分けて、各々の時間帯で記録ジョブデータの処理の順番を切り換えるようにする構成については何ら記載されていない。  
また、ユーザーが外出前に記録ジョブデータを送信し、外出先から戻って来た時に、前記インク切れや用紙切れが原因で印刷途中になっている用紙が記録装置本体（以下、「プリンター本体」ともいう）中に残留している場合には、次の記録ジョブデータの記録を直ちに実行したくても、仕掛かっている記録ジョブデータの記録を終了させるか中止させた後でなければ、次の記録ジョブデータの記録を実行することはできない問題がある。
【０００７】
本発明の目的は、人がいる時間帯と人がいない時間帯とを記録装置に把握させて該記録装置の稼働率を向上させることにある。
【課題を解決するための手段】
【０００８】
本発明に係る記録装置の第１の態様は、被記録材に記録を実行する記録実行部と、留守になる時間帯を指定できる時間指定部と、前記記録実行部の動作を制御する制御部とを備え、前記制御部は、前記時間指定部からの時間指定情報に基づいて指定された時間帯において実行される記録優先モードと、指定された時間帯以外及び時間帯が指定されなかった場合に実行される通常記録モードとを切り換えて記録を実行可能に構成されていることを特徴とするものである。  
ここで、「記録優先モード」とは、ユーザーが帰宅や外出などによって記録装置の在る場所に不在状態の時間帯にはインク切れや被記録材の補充に直ちに対応できないので、そのような人が不在状態において各記録ジョブデータの受信順、すなわち受付順に囚われずに記録を実行できることを優先し、その時点における装置状態で記録完了品を多く得ることができるように記録装置が動作することを意図して予め設定されている記録モードである。  
一方、「通常記録モード」とは、記録ジョブデータの受付順に記録を実行する通常行われている記録モードである。
【０００９】
本態様によれば、人がいる時間帯では、通常行われている通常記録モードが選択されるので、ユーザーは、通常実施している操作を行い、設定情報を入力するだけで記録ジョブデータを送信して記録を実行することができる。  
一方、留守になる時間帯では、外出ないし帰宅前にユーザーは、時間指定部から留守になる時間帯を指定して前記通常の操作と設定情報の入力を行えば、制御部は前記通常記録モードに代えて前記記録優先モードに従って当該記録ジョブデータに対する記録を実行する。
【００１０】
従って、本態様によれば、人がいる時間帯と人がいない時間帯とを明確に区分けし、それぞれの時間帯で最適な記録ジョブデータの処理が行われるようになり、記録装置の稼働率を向上させることができる。また、前記ユーザーの意に即した記録実行制御によって記録装置の稼働率を向上させることができる。
【００１１】
本発明に係る記録装置の第２の態様は、前記第１の態様において、前記記録優先モードは、受信した記録ジョブデータのデータ容量とユーザーの設定情報とに基づいて前記留守になる時間帯で処理できる記録ジョブデータを選定し、選定した記録ジョブデータの記録を実行するように構成されていることを特徴とするものである。
【００１２】
本態様によれば、受信した各記録ジョブデータのデータ容量とユーザーの設定情報とによって、制御部において、受信された各記録ジョブデータの記録の実行に必要な処理時間が算出される。そして、当該算出した処理時間から留守になる時間帯内で処理できる記録ジョブデータが選定される。  
これに伴い、データ容量の大きな記録ジョブデータを先に処理することによって、留守中に処理される記録ジョブデータの数が少なくなるのを防止することができる。
【００１３】
本発明に係る記録装置の第３の態様は、前記第１の態様または第２の態様において、前記記録優先モードは、消耗品の残量情報に基づいて前記留守になる時間帯で処理できる記録ジョブデータを選定し、選定した記録ジョブデータの記録を実行するように構成されていることを特徴とするものである。
【００１４】
本態様によれば、制御部は、消耗品の残量情報に基づいて消耗品の残量との関係で留守になる時間帯内で処理できる記録ジョブデータが選定できるようになる。  
これに伴い、消耗品の消費量の多い記録ジョブデータを先に処理することによって、留守中に消耗品が切れて記録ジョブデータの処理が途中で中断されて停止しているという事態が防止される。
【００１５】
本発明に係る記録装置の第４の態様は、前記第３の態様において、前記消耗品はインクと被記録材のいずれか一方または双方であることを特徴とするものである。
【００１６】
本態様によれば、留守中にインク切れや被記録材が足りなくなる虞れがある場合に、インク切れや被記録材が足りなくなることによって生じる留守中にインクや被記録材が切れて記録ジョブデータの処理が途中で中断されて完了できないという事態が防止される。
【００１７】
本発明に係る記録装置の第５の態様は、前記第１の態様から第４の態様のいずれか一つの態様において、前記記録優先モードが選択されたことを知らせる表示部が設けられており、前記記録優先モード実行時には、記録を実行する記録ジョブデータに関する情報を前記表示部に表示するように構成されていることを特徴とするものである。  
ここで、記録を実行する記録ジョブデータに関する情報としては、記録を実行する記録ジョブデータと記録を実行しない記録ジョブデータの別や記録ジョブデータの記録実行順序等が挙げられる。
【００１８】
本態様によれば、指定した留守になる時間帯内にユーザーが戻って来たときには、現在、記録を実行している記録ジョブデータが何であるのか、記録を中止した記録ジョブデータが何であるのか、或いは次に記録を実行する記録ジョブデータが何であるのか等を表示部の表示によって知ることを可能になる。  
また、これらの表示が留守になる時間帯を過ぎた後も表示されているようにすれば、ユーザーが留守になる時間帯を過ぎて戻って来たときに、当該記録装置の留守中の記録経過を確認することが可能になる。
【００１９】
本発明に係る記録装置の第６の態様は、前記第１の態様から第５の態様のいずれか一つの態様において、前記記録優先モードは、記録の実行を完了させることができる記録ジョブデータのみの記録が実行されるように構成されていることを特徴とするものである。
【００２０】
本態様によれば、ユーザーが留守になる時間帯を過ぎて戻って来たときに記録途中の被記録材が記録装置本体内に残留している状態で記録装置が停止している事態を防止することができる。  
従って、ユーザーは仕掛かっている残りの記録ジョブデータの記録を実行したり、新たな記録ジョブデータの記録の実行に向けての作業を速やかに開始できるようになる。
【００２１】
本発明に係る記録装置の第７の態様は、前記第１の態様から第６の態様のいずれか一つの態様において、前記記録優先モードは、前記留守になる時間帯で処理できる記録ジョブデータのうち受信した順番で記録を実行する受信優先モードと、前記留守になる時間帯で処理できる記録ジョブデータのうち処理時間の速いものから順番に記録を実行する処理優先モードと、を選択可能に構成されていることを特徴とするものである。
【００２２】
本態様によれば、記録優先モード実行中に処理する記録ジョブデータの優先順序を選択する自由度が増加する。従って、ユーザーの意に即した順序で記録ジョブデータの記録を実行することが可能になる。  
そして、受信優先モードが選択された場合には、一般に先に記録を実行したい場合に採用される受信順で記録が実行され、処理優先モードが選択された場合には、できるだけ多くの記録ジョブデータの記録を実行し完了したい場合に採用されるデータ容量の小さな順で記録が実行されるようになる。
【００２３】
本発明に係る記録装置の第８の態様は、前記第１の態様から第７の態様のいずれか一つの態様において、前記通常記録モードは、記録ジョブデータの受信の順番に記録を実行するように構成されていることを特徴とするものである。
【００２４】
本態様によれば、通常記録モードでは、受信した順番で当該記録ジョブデータ毎の設定情報に基づいて記録ジョブデータの処理が実行されることになる。
【図面の簡単な説明】
【００２５】
【図１】本発明の実施例１に係る記録装置の概略構成を示す側断面図。
【図２】本発明の実施例１に係る記録装置の制御部の構成と、該制御部での制御内容を示すブロック図。
【図３】本発明の実施例１に係る記録装置を使用して記録優先モードを選択して記録を実行する場合に対応するタイムチャート。
【図４】本発明の実施例１に係る記録装置を使用して記録を実行する場合の制御の流れを示すフローチャート。
【図５】本発明の実施例２に係る記録装置の制御部の構成と、該制御部での制御内容を示すブロック図。
【図６】本発明の実施例３に係る記録装置の制御部の構成と、該制御部での制御内容を示すブロック図。
【図７】本発明の実施例３に係る記録装置を使用して記録を実行する場合の制御の流れを示すフローチャート。
【発明を実施するための形態】
【００２６】
以下、図１から図４に示す実施例１と、図５に示す実施例２と、図６から図７に示す実施例３に基づいて、本発明の記録装置１の構成と作動態様について具体的に説明する。最初に、図１に基づいて本発明の記録装置１の基本的な構成について説明し、その後、前記実施例１から実施例３に基づいて本発明の記録装置１の特徴的構成について説明する。
【００２７】
図１に本発明の記録装置１の概略構成が、大型のインクジェットプリンター１（「記録装置」と同じ符号を使用する）を例にとって図示されている。このインクジェットプリンター１は、下端部に移動用のキャスター１５を一例として有する側面視逆Ｔ字形の支持フレーム１７を対向するように左右両端部に備えている。  
前記支持フレーム１７の上部には、プリンター本体１９が設けられている。該プリンター本体１９の内部には、被記録材（以下、一般的に使用する場合には用紙Ｐ、後述するロール紙ホルダー３にセットされるロール状に巻かれた状態のものをロール紙Ｒともいう）の被記録面に記録を実行する記録実行部の一例である記録ヘッド２５と、該記録ヘッド２５による印刷開始時刻Ｔ１と印刷終了時刻Ｔ２とを管理できる計時部４１と、留守になる時間帯５１を指定できる時間指定部５３と、前記記録ヘッド２５の動作を制御する制御部４３と、が設けられている。
【００２８】
尚、前記計時部４１は、計時部４１自体に時計としての機能を備えているものであってもよいし、クライアントマシンとなるパーソナルコンピューターや電話線その他のネットワーク経由で時間を取得するものであってもよい。該計時部４１は現在時刻又は経過時間を管理し、制御部４３での制御実行に際して時間データを必要とする場合に、その時間データを提供する役割を成すものである。  
更に、前記プリンター本体１９の内部には、前記記録ヘッド２５を一例として下面に搭載してキャリッジガイド軸２１に沿って用紙Ｐの搬送方向Ａと交差する幅方向に往復移動可能なキャリッジ２３が配設されている。  
また、前記キャリッジ２３の下方には、前記記録ヘッド２５の下面から所定のギャップＰＧを隔てて用紙Ｐを支持する支持部材２７が設けられている。
【００２９】
また、前記記録ヘッド２５と支持部材２７が設けられている記録実行領域の搬送方向Ａの上流位置には、一対のニップローラーによって構成されている搬送用ローラー２９が設けられている。  
また、前記搬送用ローラー２９の搬送方向Ａの上流位置には、ロール紙Ｒを繰り出し可能に保持する軸部１３とフランジ部９とを備えたロール紙ホルダー３が前記支持フレーム１７から延びるサブフレーム３５によって支持されて設けられている。  
この他、前記記録実行領域の搬送方向Ａの下流位置には、記録が実行された用紙Ｐを巻き取る巻取り装置３７が前記支持フレーム１７から前記サブフレーム３５と逆方向に延びるサブフレーム３６によって支持されて設けられている。
【００３０】
［実施例１］（図１〜図４参照）
実施例１に係るインクジェットプリンター１Ａは、前記制御部４３は、前記時間指定部５３からの時間指定情報５５に基づいて指定された時間帯５１において実行される記録優先モード（「印刷優先モード」ともいう）５７と、指定された時間帯５１以外及び当該時間帯５１が指定されなかった場合に実行される通常記録モード（「通常印刷モード」ともいう）４９とを切り換えて記録を実行するように構成されている。
【００３１】
尚、前記時間指定部５３に対する留守になる時間帯５１の指定は、パーソナルコンピュ−ター等の設定画面からの入力や、インクジェットプリンター１Ａの図示しない操作パネルからの入力によって行い、「何時何分〜何時何分」というように具体的な時刻で指定しても良いし、「何時何分から何時間」というように時間で指定することも可能である。  
そして、前記時間指定部５３から指定した留守になる時間帯５１は、時間指定情報５５として前記制御部４３に向けて送信される。
【００３２】
また、前記記録優先モード５７では、受信した記録ジョブデータ（「印刷ジョブデータ」とも言う）４５のデータ容量とユーザーの設定情報４７とに基づいて、前記留守になる時間帯５１で処理できる記録ジョブデータ４５を選定し、選定した記録ジョブデータ４５を優先して記録を実行するように構成されている。  
また、本実施例では前記記録優先モード５７の実行時に消耗品５９となるインクや用紙Ｐの残量情報６１に基づいて前記留守になる時間帯５１で処理できる記録ジョブデータ４５を選定し、選定した記録ジョブデータ４５を優先して記録を実行するように構成されている。
【００３３】
尚、前記設定情報４７には、記録の実行に際してユーザーが設定する用紙Ｐの紙種やサイズあるいは印刷枚数に関する情報、モノクロ２階調、グレートーン、ＣＭＹＫフルカラー等の色や、色補正に関する情報及び、粗い、高精細、写真品質等画質に関する情報等が含まれる。  
また、前記記録ジョブデータ４５のデータ容量には、前記設定情報４７とは別にデータ自体が持っているデータサイズ、解像度、色のかけ合わせ等に関する情報が含まれ、該情報に基づいて算出されるデータの大きさを「データ容量」と定義する。
【００３４】
また、前記消耗品５９の残量情報６１は、インクと用紙Ｐの両方の残量情報６１の他、インクと用紙Ｐのいずれか一方の残量情報６１であってもよい。  
具体的には、用紙Ｐの残量が十分にあって、留守中の印刷によって用紙Ｐがなくなる虞れがない場合には、インクの残量情報６１のみに基づいて記録を実行する記録ジョブデータ４５を選定することが可能である。
【００３５】
また、前記消耗品５９の残量情報６１は、一例としてインクの場合にはインクカートリッジに付属している電子基板から前記制御部４３に向けて送信され、用紙Ｐの場合には、セットされている用紙Ｐ全体の厚さを計測するエンコーダーや光センサ等の位置センサあるいはセットされている用紙Ｐの重量を計測するロードセル等の重量センサ等から前記制御部４３に向けて送信される。
【００３６】
また、本実施例では、前記記録優先モード５７において、記録の実行を完了することができる記録ジョブデータ４５のみの記録を実行するように構成されている。  
従って、ユーザーが外出先や自宅から戻って来たときに印刷途中の用紙Ｐがプリンター本体１９内に残留してインクジェットプリンター１Ａが停止している事態が防止される。これに伴って、ユーザーは仕掛かっている残りの記録ジョブデータ４５の記録を実行したり、新たな記録ジョブデータ４５の記録の実行に向けての作業を速やかに開始することができるようになっている。
【００３７】
一方、前記通常記録モード４９では、記録ジョブデータ４５が受信された順番によりユーザーの設定情報４７に基づいて記録が実行されるように構成されている。  
従って、ユーザーが一般に先に記録を実行したい受信の順番が優先され、記録ジョブデータ４５ごとに設定されているユーザーの設定情報４７を忠実に実行して記録が実行されることになる。  
尚、当該通常記録モード４９の実行時には、印刷トラブルや消耗品５９の補充に対応できる人がいるので、前記印刷トラブルや消耗品５９の欠如等が生じて印刷が中断された場合には、当該中断事由をユーザーの措置によって解消させることになる。
【００３８】
次に、図３に示すタイムチャートと図４に示すフローチャートに従って、記録優先モード５７を選択して記録を実行する場合の流れについて具体的に説明する。  
最初に、図３に示すタイムチャートについて説明する。図３（Ａ）では、１２月１７日の２１時〜１２月１８日の２１時までの２４時間の留守になる時間帯５１を示している。  
尚、図３中の（１）で示す時間帯５１は、１２月１７日の２１：００に退社し、１２月１８日の９：００に出勤するまでの帰宅に伴って生じる留守になる時間帯５１を示しており、（２）で示す時間帯５１は、１２月１８日の１３：００に外出し、１２月１８日の１５：００に戻って来るまでの外出に伴って生じる留守になる時間帯５１を示している。
【００３９】
また、図３（Ｂ）では、図３（Ａ）の（２）で示す時間帯５１に入る１２月１８日１３：００時点で受信しているデータ（１）〜データ（４）の４つの記録ジョブデータ４５のデータ容量と設定情報４７とから算出される各々の処理時間ｔと、消耗品５９の残量から導かれる消耗品５９の使用が可能な残量時間Ｕを示している。該残量時間は図３（Ｂ）中の（１）、（２）で示す２種類用意されている。  
因みに、データ（１）の処理時間ｔが９０分、データ（２）の処理時間ｔが６０分、データ（３）の処理時間ｔが４０分、データ（４）の処理時間ｔが２０分に一例として設定されておいる。また、（１）で示す消耗品５９の残量時間Ｕが１２０分、（２）で示す消耗品５９の残量時間Ｕが一例として８０分になっている。
【００４０】
そして、このような図３に示すタイムチャートに基づいて記録の実行が指令されると、図４に示すフローチャートに従って、以下詳述するような流れで記録が実行される。  
先ず、図４中のステップＳ１で時間指定部５３から留守になる時間帯５１が指定されたか否かの判断が行われる。尚、留守になる時間帯５１が指定されていない場合には、ステップＳ９に移行して通常記録モード４９が選択されて記録が実行される。一方、留守になる時間帯５１が指定されている場合には、ステップＳ２に移行して印刷優先モード５７が選択される。本実施例の場合には、留守になる時間帯５１を指定する場合には、例えば図３（Ａ）に示すタイムチャートに従って、１２月１８日の１３：００〜１５：００の（２）で示す時間帯５１を指定することになる。
【００４１】
次に、ステップＳ３に移行して図３（Ｂ）に示すデータ（１）〜（４）の４つの記録ジョブデータ４５のそれぞれの処理時間ｔを各記録ジョブデータ４５のデータ容量とユーザーの設定情報４７とから算出する。  
次に、ステップＳ４に移行して前記ステップＳ１で指定した時間帯５１で処理できる印刷ジョブデータ４５を、前記ステップＳ３で算出した個別の処理時間ｔに基づいて選定する。
【００４２】
具体的には、記録ジョブデータ４５の処理時間ｔの和が前記（２）で示す時間帯５１の１２０分以内に収まるデータ（１）と（４）の組み合わせと、データ（２）と（３）と（４）の組み合わせの２組の組み合わせが選定される。  
次に、ステップＳ５に移行して例えばインクカートリッジに付属の電子基板から送信される残量情報６１に基づいて消耗品５９の残量時間Ｕを算出する。尚、図３に示すタイムチャートでは、前述したように（１）の残量時間Ｕが８０分、（２）の残量時間Ｕが１２０分と算出された場合が図示されている。
【００４３】
次に、ステップＳ６に移行し、前記ステップＳ５で算出した各消耗品５９の残量時間Ｕが前記ステップＳ１で指定した留守になる時間帯５１より少ないか否かの判断が行われる。  
例えば、消耗品５９の残量時間Ｕとして、図３（Ｂ）中の（１）で示す８０分の残量時間Ｕが算出された場合には、図３（Ａ）中の（２）で示す１２０分の時間帯５１より少ないから、ステップＳ７に移行して、図３（Ｂ）中の（１）で示す８０分の残量時間Ｕで処理できる記録ジョブデータ４５を選定して記録を実行する。
【００４４】
具体的には、当該８０分の残量時間Ｕ内に収まるデータ（２）と（４）の組み合わせと、
データ（３）と（４）組み合わせが選定され、このうち先に受信したデータ（２）を含むデータ（２）と（４）の組み合わせを一例として採択して、これらの記録ジョブデータ４５をデータ（２）、データ（４）の順番で記録の実行をする。  
一方、消耗品５９の残量時間Ｕが図３（Ｂ）中の（２）で示すように１２０分あると算出された場合には、図３（Ａ）中の（２）で示す１２０分の時間帯５１と同じであり、該時間帯５１よりも少なくないから、ステップＳ８に移行して、前記ステップＳ１で指定した図３（Ａ）中の（２）で示す１２０分の時間帯５１で処理できる記録ジョブデータ４５を選定して記録を実行する。
【００４５】
具体的には、前記ステップＳ４で選定した記録ジョブデータ４５の処理時間ｔの和が前記１２０分の時間帯５１に収まるデータ（１）と（４）の組み合わせと、データ（２）と（３）と（４）の組み合わせの２組の組み合わせが選定され、このうち先に受信したデータ（１）を含むデータ（１）と（４）の組み合わせを一例として採択して、これらの記録ジョブデータ４５をデータ（１）、データ（４）の順番で記録の実行をする。
【００４６】
そして、このようにして構成される実施例１に係るインクジェットプリンター１Ａによれば、人がいる時間帯と人がいない留守になる時間帯５１とが明確に区分けされて、それぞれの時間帯で最適な記録ジョブデータ４５の処理を行うことが可能になる。  
また、前記記録優先モード５７が選択された場合には、インク切れ等が原因で印刷途中の用紙Ｐがプリンター本体１９内に残留する状態を防止することができ、ユーザーの意に即した記録実行制御によりインクジェットプリンター１Ａの記録の稼働率を向上させることができる。
【００４７】
［実施例２］（図５参照）
実施例２に係るインクジェットプリンター１Ｂは、前記実施例１に係るインクジェットプリンター１Ａの構成に加えて、前記記録優先モード５７の実行時に該記録優先モード５７が選択されたことを知らせる表示部６７が追加された構成になっている。  
従って、ここでは本実施例で追加された表示部６７の構成と、該表示部６７を備えることによって発揮される作用、効果を中心にして説明する。
【００４８】
前記表示部６７としては、インクジェットプリンター１Ｂの操作パネルに設けられているモニターやランプ類が一例として使用でき、モニターの場合には記録優先モード５７の実行時に記録を実行する記録ジョブデータ４５と記録を実行しない記録ジョブデータ４５の別や記録ジョブデータ４５の記録実行順序等を文字によって表示し、ランプ類を使用する場合には、当該ランプ類の点灯や点滅によって表示する。
【００４９】
そして、このようにして構成される実施例２に係るインクジェットプリンター１Ｂによっても、前記実施例１と同様の作用、効果が発揮される。また、本実施例では、ユーザーが外出先等から戻って来た時に記録を中止した記録ジョブデータ４５が何であるのか、また記録を実行した記録ジョブデータ４５が何であるのか等をその表示によって知ることができ、留守中の記録経過を確認することが可能になる。
【００５０】
［実施例３］（図６、図７参照）
実施例３に係るインクジェットプリンター１Ｃは、前記実施例１に係るインクジェットプリンター１Ａの構成に加えて、前記記録優先モード５７を実行するに当たって、更に受信優先モード６３と処理優先モード６５とを選択できるように構成されている。  
従って、ここでは本実施例において新たに採用した受信優先モード６３と処理優先モード６５の構成と、これらの受信優先モード６３と処理優先モード６５を選択して使用できるようにした制御部４３の制御の流れを中心にして説明する。
【００５１】
即ち、本実施例では、前記記録優先モード５７において、前記留守になる時間帯５１で処理できる記録ジョブデータ４５のうち受信した順番で記録を実行する受信優先モード６３と、前記留守になる時間帯５１で処理できる記録ジョブデータ４５のうち、処理時間ｔの速いものから順番に記録を実行する処理優先モード６５と、を選択できるように構成されている。  
これに伴い、受信優先モードが選択された場合には、一般に先に記録を実行したい場合の順番となる受信順で記録ジョブデータ４５の記録が実行される。一方、処理優先モード６５が選択された場合には、できるだけ多くの記録ジョブデータ６５の記録を実行したい場合の順番となる記録ジョブデータ６５のデータ容量が小さく、インク消費量が少なくなる順番で処理されるようになる。
【００５２】
そして、このようにして構成される受信優先モード６３と処理優先モード６５とを使用して記録を実行する場合には、図７に示すような制御部４３での制御の流れとなる。  
尚、図７において、ステップＳ１０〜Ｓ１８までの制御の流れは、前記実施例１の図４に示したステップＳ１〜Ｓ９までの制御の流れと同様であるので、その説明は省略し、ここではステップＳ１９〜Ｓ２１の構成を中心にして説明する。
【００５３】
ステップＳ１６により消耗品５９の残量時間Ｕで処理できる記録ジョブデータ４５が選択された場合と、ステップＳ１７により留守になる時間帯５１で処理できる記録ジョブデータ４５が選択された場合には、ステップＳ１９に移行して処理優先モード６５が選択されたか否かの判断が行われる。  
ステップＳ１９で処理優先モード６５が選択されたと判断された場合には、ステップＳ２０に移行して前記処理優先モード６５に従って記録を実行する。
【００５４】
具体的には、ステップＳ１６経由でステップＳ１９に移行し、図３（Ｂ）中、（１）で示す８０分の残量時間Ｕが算出された場合には、処理優先モード６５では当該残量時間Ｕの８０分以内に収まるデータ（３）と（４）の組み合わせが採用され、データ（４）、（３）の順で記録ジョブデータ４５の記録が実行される。  
一方、ステップＳ１６経由でステップＳ１９に移行し、図３中、（２）で示す１２０分の残量時間Ｕが算出された場合と、ステップＳ１７経由でステップＳ１９に移行した場合には、処理優先モード６５では当該残量時間Ｕないし留守になる時間帯５１の１２０分以内に収まるデータ（２）と（３）と（４）の組み合わせが採用され、データ（４）、（３）、（２）の順で記録ジョブデータ４５の記録が実行される。
【００５５】
また、ステップＳ１９で処理優先モード６５が選択されていないと判断された場合には、ステップＳ２０に移行して前記受信優先モード６３に従って記録を実行する。  
具体的には、ステップＳ１６経由でステップＳ１９に移行し、図３（Ｂ）中、（１）で示す８０分の残量時間Ｕが算出された場合には、受信優先モード６３では当該残量時間Ｕの８０分以内に収まるデータ（２）と（４）組み合わせが採用され、（２）、（４）の順で記録ジョブデータ４５の記録が実行される。
【００５６】
一方、ステップＳ１６経由でステップＳ１９に移行し、図３（Ｂ）中、（２）で示す１２０分の残量時間Ｕが算出された場合と、ステップＳ１７経由でステップＳ１９に移行した場合には、受信優先モード６３では当該残量時間Ｕないし留守になる時間帯５１の１２０分内に収まるデータ（１）と（４）の組み合わせが採用され、データ（１）、（４）の順で記録ジョブデータ４５の記録が実行される。
【００５７】
そして、このようにして構成される実施例３に係るインクジェットプリンター１Ｃによっても前記実施例１と同様の作用、効果が発揮される。また、本実施例では、記録優先モード５７実行中に処理する記録ジョブデータ４５の優先順序を選択する自由度が増加するから、ユーザーの意に即した順序で記録ジョブデータ４５の記録を実行することが可能になる。
【００５８】
［他の実施例］
本発明に係る記録装置１は、以上述べたような構成を基本とするものであるが、本願発明の要旨を逸脱しない範囲内の部分的構成の変更や省略等を行うことも勿論可能である。  
例えば、留守になる時間帯５１が短くて、消耗品５９の残量を心配する必要がない場合には、前記残量情報６１を省略し、実施例１においては、図４中のステップＳ５〜Ｓ８を省略し、実施例３においては、図７中のステップＳ１４〜Ｓ１７を省略することが可能である。
【００５９】
また、消耗品５９は、インクと用紙Ｐに限らず、レーザープリンターや複写機等であればトナーであっても良いし、紫外線（ＵＶ）硬化インクを使用している場合には、当該（ＵＶ）硬化インクに光を照射して硬化させる発光ダイオード（ＬＥＤ）やメタルハライドランプ等であっても良い。また、多段の給紙フィーダーを備える記録装置１であれば、サイズ、紙種の異なる複数の被記録材Ｐを異なる消耗品５９として個別に残量の管理を行うようにすることも可能である。
【００６０】
この他、本発明の記録装置１は、大型のインクジェットプリンターに限らず、小型、中型のインクジェットプリンターに適用することが可能であり、更にはインクジェットプリンター以外のレーザープリンターや複写機、あるいはファクシミリ等の他の記録装置に適用することが可能である。  
従って、用紙Ｐもロール紙Ｒに限らず、単票紙でもよく、被記録材Ｐには、普通紙、専用紙、写真用の光沢紙の他、ポリエステルフィルム等の樹脂フィルム等が含まれる。また、被記録材Ｐの厚さには、例えば０．３〜１．３ｍｍというように種々の厚さが含まれる。
【符号の説明】
【００６１】
１  インクジェットプリンター（記録装置）、３  ロール紙ホルダー、
９  フランジ部、１３  軸部、１５  キャスター、１７  支持フレーム、
１９  プリンター本体（記録装置本体）、     ２１  キャリッジガイド軸、
２３  キャリッジ、２５  記録ヘッド（記録実行部）、２７  支持部材、
２９  搬送用ローラー、３５  サブフレーム、３６  サブフレーム、
３７  巻取り装置、４１  計時部、４３  制御部、４５  記録ジョブデータ、
４７  設定情報、４９  通常記録モード、５１  （留守になる）時間帯、
５３  時間指定部、５５  時間指定情報、     ５７  記録優先モード、５９  消耗品、
６１  残量情報、６３  受信優先モード、     ６５  処理優先モード、６７  表示部、
Ｐ  用紙（被記録材）、Ｒ  ロール紙（被記録材）、Ａ  搬送方向、
Ｔ１  印刷開始時刻、Ｔ２  印刷終了時刻、ＰＧ  ギャップ、ｔ  処理時間、
Ｕ  残量時間
【図１】
2012213989.tif 000003
【図２】
2012213989.tif 000004
【図３】
2012213989.tif 000005
【図４】
2012213989.tif 000006
【図５】
2012213989.tif 000007
【図６】
2012213989.tif 000008
【図７】
2012213989.tif 000009